(57)【要約】【課題】損傷した壁パネルの張り替えを屋外側から行えるようにして補修作業の手間を省く。さらに壁パネルを固定するための構造が壁外面に露出するのを解消して、補修後の外壁の体裁を向上する。【解決手段】補修個所に嵌め込まれる新規壁パネル２Ａの取付壁１０を、圧嵌係合構造を介して壁下地１に分離不能に固定する。圧嵌係合構造は、柱状の壁下地１に屋外側から装着固定される第１係合体１８と、取付壁１０の内面に固定される第２係合体１９とで構成する。く字状に仮接合した新規壁パネル２Ａと既設の壁パネル２とを面一状に押し込み操作して、新規壁パネル２Ａを補修個所に嵌め込む。同時に第１係合体１８と第２係合体１９とを圧嵌係合して、新規壁パネル２Ａを壁下地１に分離不能に固定する。【選択図】図１
2006037537.tif 000002
【特許請求の範囲】
【請求項１】
一群の壁パネル２の隣接端どうしを凹凸係合して構成される外壁における壁パネルの補修構造であって、
壁パネル２は、その長手方向の対向辺部に沿って、凹凸係合が可能な関係にある一対の連結部７・８を有し、両連結部７・８の一方に壁下地１に締結固体される取付壁１０を備えており、
補修個所に嵌め込まれる新規壁パネル２Ａの取付壁１０が、圧嵌係合構造を介して壁下地１に分離不能に固定することができ、
圧嵌係合構造が、柱状の壁下地１に屋外側から装着固定される第１係合体１８と、第１係合体１８に対向する取付壁１０の内面に固定される第２係合体１９とを含み、
く字状に仮接合した新規壁パネル２Ａと既設の壁パネル２とを面一状に押し込み操作することにより、新規壁パネル２Ａを補修個所に嵌め込む際に、第１係合体１８と第２係合体１９とを同時に圧嵌係合して、新規壁パネル２Ａが壁下地１に分離不能に固定されるようにしたことを特徴とする外壁材の補修構造。
【請求項２】
壁下地１に固定した第１係合体１８の左右の脚壁２１に、それぞれ一対の抜止段部２２が突設されており、
第２係合体１９の左右に、取付壁１０に締結具３２で締結固定される締結座２８と、抜止段部２２に圧嵌係合する左右一対の係合爪２９とが形成されており、締結座２８が係合爪２９よりも左右外側方に張り出し形成されている請求項１記載の外壁材の補修構造。
【請求項３】
第１係合体１８が、壁下地１の外面で受け止められるベース壁２０と、ベース壁２０に連続して壁下地１の両側面に沿う左右一対の脚壁２１と、両脚壁２１の中途部に突設される一対の抜止段部２２と、ベース壁２０と抜止段部２２の突端との間に形成されて、係合爪２９を係合案内する傾斜案内面２３とを備えており、
第２係合体１９の各係合爪２９が、爪腕３０と、爪腕３０の先端に設けた爪部３１とで構成されている請求項２記載の外壁材の補修構造。
【請求項４】
第１係合体１８の脚壁２１の一方に、壁下地１に掛け止め装着される掛止爪３５が形成されており、
第１係合体１８の脚壁２１の他方が、壁下地１に締結具２４を介して締結固定されている請求項２または３記載の外壁材の補修構造。
【発明の詳細な説明】
【技術分野】
【０００１】
本発明は、外壁を構築した後に、誤って傷付けた壁パネルの張り替えに好適な壁パネルの補修構造に関する。
【背景技術】
【０００２】
擦り傷や凹み傷などが形成された壁パネルを張り替える補修構造に関して、例えば特許文献１が公知である。そこでは、損傷した壁パネルと、その下段側の壁パネルとを取り外し、新規な壁パネルと下段側の壁パネルとをく字状に仮接合したうえで、両壁パネルの上下の嵌合部分を施工済みの壁パネルに係合しながら面一状に押し込み操作して、新規壁パネルを補修個所に嵌め込む。両壁パネルには、予めボルト（セルフドリリングビス）がねじ込んであり、ボルトを縦胴縁に装着した固定金具にナットで締結することにより、両壁パネルを縦胴縁に対して分離不能に固定する。固定金具は断面ハット形に形成してあり、壁内面側から縦胴縁に外嵌装着するようになっている。
【０００３】
この種の補修構造は特許文献２にもみることができる。そこでは、損傷した壁パネルのみを取り外し、新規な壁パネルを補修個所に嵌め込んだ後、壁パネルの外表面から縦胴縁に釘を打ち込んで、壁パネルを分離不能に固定している。
【０００４】
【特許文献１】特許第２６４７６１２号公報（段落番号００１４、図１）
【特許文献２】特許第３４９８５５２号公報（段落番号００１４、図３）
【発明の開示】
【発明が解決しようとする課題】
【０００５】
特許文献１の補修構造によれば、張り替え対象の壁パネルと、その下段側の壁パネルとを、それぞれボルトおよびナットで固定金具に締結固定するので、補修対象とならなかった壁パネルと同様に、両壁パネルを強固に固定できる。予め壁パネルにねじ込んだボルトの操作頭部が壁外面に露出することもないので、補修後の外壁の体裁も向上できる利点がある。問題は、ボルトと固定金具とを壁パネルの内面側で締結するため、屋内外の両側から補修作業を行う必要があり、一連の作業に多くの手間が掛かる。とくに、屋内の壁工事や内装工事が同時に進められているような場合には、内壁や内装を分解して再構築する必要があり、補修作業に多くの手間を要する。
【０００６】
この点、特許文献２の補修構造によれば、損傷した壁パネルの張り替えは屋外側から行うだけでよく、補修作業の手間を省ける。しかし、補修個所に嵌め込んだ新規な壁パネルは、その外表面から打ち込んだ釘で締結固定するので、補修後の外壁表面に釘の頭が露出して体裁が損なわれるうえ、釘頭を隠すためのシーリングや補修塗装などの余分な手間が加わる。釘穴が錆付いて、そこから雨水が染み込むおそれもある。
【０００７】
本発明の目的は、損傷した壁パネルの張り替えが屋外側から行えて補修作業の手間が省け、壁パネルを固定するための構造が壁外面に露出するのを解消して、補修後の外壁の体裁を向上できる外壁材の補修構造を提供することにある。本発明の目的は、壁パネルを強固に、しかも高度の防水性を発揮できる状態で固定できる外壁材の補修構造を提供することにある。
【課題を解決するための手段】
【０００８】
本発明の壁パネルの補修構造は、一群の壁パネル２の隣接端どうしを凹凸係合して構成される外壁を適用対象とする。壁パネル２は、その長手方向の対向辺部に沿って、凹凸係合可能な関係にある一対の連結部７・８を有し、両連結部７・８の一方に壁下地１に締結固体される取付壁１０を備えている。補修個所に嵌め込まれる新規壁パネル２Ａの取付壁１０は、圧嵌係合構造を介して壁下地１に分離不能に固定することができる。圧嵌係合構造は、柱状の壁下地１に屋外側から装着固定される第１係合体１８と、第１係合体１８に対向する取付壁１０の内面に固定される第２係合体１９とを含む。く字状に仮接合した新規壁パネル２Ａと既設の壁パネル２とを面一状に押し込み操作することにより、新規壁パネル２Ａを補修個所に嵌め込む際に、第１係合体１８と第２係合体１９とを同時に圧嵌係合して、新規壁パネル２Ａが壁下地１に分離不能に固定されるようにしたことを特徴とする。
【０００９】
具体的には、図４に示すごとく壁下地１に固定した第１係合体１８の左右の脚壁２１に、それぞれ一対の抜止段部２２が突設されており、第２係合体１９の左右には、取付壁１０に締結具３２で締結固定される締結座２８と、抜止段部２２に圧嵌係合する左右一対の係合爪２９とが形成されており、締結座２８は係合爪２９よりも左右外側方に張り出し形成されている。
【００１０】
第１係合体１８は、壁下地１の外面で受け止められるベース壁２０と、ベース壁２０に連続して壁下地１の両側面に沿う左右一対の脚壁２１と、両脚壁２１の中途部に突設される一対の抜止段部２２と、ベース壁２０と抜止段部２２の突端との間に形成されて、係合爪２９を係合案内する傾斜案内面２３とを備えており、第２係合体１９の各係合爪２９が、爪腕３０と、爪腕３０の先端に設けた爪部３１とで構成されている。
【００１１】
第１係合体１８の脚壁２１の一方には、図６に示すごとく壁下地１に掛け止め装着される掛止爪３５が形成されており、第１係合体１８の脚壁２１の他方を壁下地１に締結具２４を介して締結固定することができる。
【発明の効果】
【００１２】
本発明では、く字状に仮接合した新規壁パネル２Ａと、既設の壁パネル２とを外側から面一状に押し込み操作して、新規な壁パネル２Ａを補修個所に嵌め込む。このとき、新規な壁パネル２Ａの取付壁１０の内面に固定した第２係合体１９は、壁下地１に固定した第１係合体１８に圧嵌係合することにより、新規な壁パネル２Ａを壁下地１に対して分離不能に固定するので、損傷した壁パネル２の張り替え作業が、一貫して屋外側から行える。したがって、従来の補修作業に比べて、一連の作業に要する手間を省くことができる。取付壁１０の内面に設けた第１・第２の両係合体１８・１９を介して、壁パネル２Ａを壁下地１に係合固定するので、従来の補修構造において避けられなかった、ボルトやビスなどの操作頭部が壁外面に露出することを確実に解消し、補修後の外壁の体裁が向上し、施工品質も向上できる利点を有する。
【００１３】
第１係合体１８の両脚壁２１にそれぞれ左右一対の抜止段部２２を突設し、第２係合体１９の左右に、抜止段部２２に圧嵌係合する左右一対の係合爪２９とを形成すると、両係合体１８・１９を強固に係合固定して、新規な壁パネル２Ａを壁下地１に対して確りと取り付けることができる。締結座２８が係合爪２９よりも左右外側方に張り出し形成されていると、取付壁１０を介して締結座２８にねじ込んだ締結体２４が、第１係合体１８と干渉するのを防止できるのはもちろんのこと、係合爪２９が弾性変形しながら抜止段部２２に落ち込むとき、係合爪２９が締結体２４とに接触するのを防止できるので、両係合体１８・１９を確実にしかも容易に係合連結できる。
【００１４】
第１係合体１８に傾斜案内面２３を形成し、爪腕３０と、爪腕３０の先端に設けた爪部３１とで係合爪２９が構成されていると、両係合体１８・１９を係合連結するとき、係合爪２９を傾斜案内面２３で徐々に拡開変形させながら、抜止段部２２に落ち込み案内できるので、係合爪２９が抜止段部２２に確実に係合し、両係合体１８・１９の係合連結作業を高い信頼性を以て行うことができる。爪腕３０の先端に爪部３１を設けて係合爪２９が構成されているので、爪腕３０の弾性限度内で係合爪２９の弾性変形量を大きくでき、例えば係合爪２９の弾性変形量がごく僅かである場合に比べて、係合爪２９が抜止段部２２に落ち込み係合したことをはっきりと確認しながら、両係合体１８・１９を高い信頼性を以て係合連結できる。
【００１５】
図６に示すように、脚壁２１の一方に設けた掛止爪３５を壁下地１に掛け止め装着し、さらに他方の脚壁２１を締結具２４で壁下地１に締結固定する第１係合体１８によれば、片方の脚壁２１のみを締結具２４で壁下地１に締結固定すればよいので、第１係合体１８の取り付けを簡便に行える。外壁に内圧が作用するような場合でも、新規な壁パネル２Ａが胴縁１から浮き離れたり、がた付くのを確実に防止できる。
【発明を実施するための最良の形態】
【００１６】
（実施例）  図１ないし図５は本発明に係る壁パネルの補修構造を、横張型の外壁に適用した実施例を示す。図１ないし図３において外壁は、一定間隔置きに配置した柱状の胴縁（壁下地）１の外面に、左右横長の壁パネル２を下から順に取り付けて構成する。胴縁１は、断面Ｃ字状の形鋼からなり、その一側が開口している。壁パネル２は、塗装鋼板ないしガルバリウム鋼板などで形成された外被板３と、その内面に設けた断熱層４と、断熱層４の内面を覆うアルミニウムシート５などで構成する。断熱層４は、発泡プラスチック材やロックウールなどを充填して形成する。断熱層４の外面および内面のそれぞれを、外被板３で覆って壁パネル２を構成することもある。
【００１７】
壁パネル２の上下辺部には、凹凸係合が可能な関係にある一対の連結部７・８を形成する。詳しくは、壁パネル２の下辺に沿って逆Ｕ字状の溝からなる連結部７を形成し、壁パネル２の上辺に沿って、連結部７に嵌まり込む突起からなる連結部８を形成する。前者の連結部７の内奥には、防水用のゴム製パッキン９を配置してある。両連結部７・８は、それぞれ先の外被板３を折り曲げて形成されているが、上辺側の連結部８の内端に連続して上向きに延びる取付壁１０を折り曲げ形成する。図２において取付壁１０の上端寄りには、セルフドリリングビス（締結具）１３の操作頭部を収容する締結座１５が凹み形成されている。上下に隣接する壁パネル２を胴縁１に組み付けた状態においては、締結座１５は上段側の壁パネル２で覆われるので、セルフドリリングビス１３の操作頭部が壁外面に露出することはない。
【００１８】
上記のような横張型の外壁において、外壁を構築し終えた後に、誤って壁パネル２を傷付け、外被板３に擦り傷や凹み傷などが形成されることがある。こうした場合に、傷付いた壁パネル２を本発明の補修構造に従って交換することになる。補修作業は、傷付いた壁パネル２を除去する準備作業と、新規な壁パネル２を補修部分に嵌め込み固定する取付作業とからなる。
【００１９】
準備作業においては、傷付いた壁パネル２の上端寄りを電動丸鋸等によって長手方向へ切断し、切断線より下側のパネル部分を下段の壁パネル２から抜き外す。切断線より上側のパネル部分に残る連結部８は、上段の壁パネル２の連結部７から抜き外し、上段の壁パネル２を壁外面側へ持ち上げて、切断されたパネル部分の取付壁１０の外面に作業空間を確保する。この状態で取付壁１０にねじ込んだセルフドリリングビス１３を取り外して、連結部８を含む上側のパネル部分を胴縁１から除去する。
【００２０】
取付作業においては、新規な壁パネル２Ａを補修個所に嵌め込んだ後、その取付壁１０を圧嵌係合構造を介して胴縁１に係合固定する。図３において圧嵌係合構造は、胴縁１に固定される第１係合体１８と、第１係合体１８に対応して新規な壁パネル２Ａの取付壁１０の内面に固定される第２係合体１９とで構成する。
【００２１】
第１係合体１８は、胴縁１の外面に受け止められるベース壁２０と、ベース壁２０に連続して胴縁１の両側面に沿う左右一対の脚壁２１と、両脚壁２１の中途部に突設される一対の抜止段部２２と、ベース壁２０の両側端と抜止段部２２の突端との間に形成される傾斜案内面２３とを一体に備えたプレス金具からなる。第１係合体１８は、新規な壁パネル２Ａと交差する全ての胴縁１に壁外面側から嵌め込み装着し、左右の脚壁２１をセルフドリリングビス（締結具）２４で胴縁１に締結する。
【００２２】
図４において両抜止段部２２は、左右対称に形成しておき、抜止段部２２と脚壁２１とが挟む角度αは９０度、若しくはそれ以下であることが好ましい。角度αが９０度、若しくは９０度より僅かに小さく形成してある場合には、後述する爪部３１が抜止段部２２と係合する際に壁外面側への移動量をゼロ、あるいはごく僅かに抑止できるので、第２係合体１９を第１係合体１８に係合した状態における、内外方向の遊動を効果的に規制できる。抜止段部２２の脚壁２１からの突出寸法ｂは、セルフドリリングビス２４の操作頭部の突出寸法より大きく設定して、両係合体１８・１９を係合した状態において、後述する第２係合体１９の爪部３１が操作頭部と接触干渉するのを避ける。
【００２３】
図１および図４において第２係合体１９は、前記取付壁１０に接合される係合ベース２７と、係合ベース２７の左右両端を内面側に折り返して形成される一対の締結座２８と、締結座２８に連続して係合ベース２７の内面側に折り起こし形成される左右一対の係合爪２９とを一体に備えたプレス金具からなる。各係合爪２９は、弾性変形できる爪腕３０と、各爪腕３０の先端を内側面側へ斜めに折り返して形成した爪部３１とを含み、爪腕３０と係合ベース２７とが挟む角度βは９０度に設定した。第２係合体１９は、係合ベース２７を新規な壁パネル２Ａの取付壁１０の内面に接合して、左右の締結座２８をリベット（締結具）３２で胴縁１に締結する。取付壁１０および締結座２８にはリベット３２用の穴を予め形成しておく。
【００２４】
図４に寸法ｃで示すように、締結座２８は係合爪２９、および抜止段部２２より外側方へ張り出し形成して、締結座２８を締結するリベット３２が、第１係合体１８と干渉するのを防止する。上記のように爪腕３０と係合ベース２７とが挟む角度βを９０度とし、締結座２８を内外二重壁で構成すると、第２係合体１９の構造強度が向上して、両係合体１８・１９の係合強度を増強できる。一対の係合爪２９は左右対称形に形成してある。図２において第２係合体１９の上下長さは、取付壁１０の上下長さより僅かに小さく寸法設定してある。第１係合体１８の上下長さは、第２係合体１９の上下長さより大きく寸法設定してある。
【００２５】
先に説明したように、第１係合体１８を胴縁１に締結し、第２係合体１９を新規な壁パネル２Ａに締結した後、図５に示す要領で新規の壁パネル２Ａを補修個所に嵌め込む。新規な壁パネル２Ａの下側の連結部７は、下段側の壁パネル２の上側の連結部８に嵌め込み、さらに新規な壁パネル２Ａの上側の連結部８は、上段側の壁パネル２の下側の連結部７に嵌め込んで、両パネル２・２Ａをく字状に仮組みする。
【００２６】
この状態で、両パネル２・２Ａの仮組み部分を胴縁１ヘ向かって面一状に押し込み操作して、第２係合体１９を第１係合体１８に圧嵌係合する。このとき、係合爪２９は、傾斜案内面２３に案内されて徐々に拡開変形しながら、その爪部３１が抜止段部２２の突端を乗り越えた時点で抜止段部２２に落ち込み係合する。図１および図２に示すように、爪部３１が抜止段部２２と係合した状態においては、爪部３１の遊端が抜止段部２２の基部で受け止められて、ベース壁２０と係合ベース２７とが密着する。新規な壁パネル２Ａと、その上方に位置する既設の壁パネル２とは、第１・第２の両係合体１８・１９で胴縁１側へ引き寄せられるので、新規な壁パネル２Ａを他の壁パネル２と面一に固定保持できる。以上のように、傷付いた壁パネル２の補修作業は、外壁の外側から行うだけで済む。
【００２７】
図６は第１係合体１８の別実施例を示す。そこでは、第１係合体１８の脚壁２１の一方に、胴縁１の側面開口縁１ａに掛け止め装着される掛止爪３５を形成し、他方の脚壁２１をセルフドリリングビス２４で胴縁１に締結した。このように、掛止爪３５を掛け止め装着した状態で第１係合体１８を胴縁１に締結固定すると、片方の脚壁２１のみをセルフドリリングビス２４で締結すればよく、第１係合体１８の取り付けの手間を省くことができる。例えば、外壁に内圧が作用するような場合でも、新規な壁パネル２Ａが胴縁１から浮き離れるのを確実に阻止できる。
【００２８】
上記の実施例以外に、第１係合体１８は、左右の脚壁２１のそれぞれをセルフドリリングビス２４で胴縁１に締結できる。壁下地１は間柱であってもよく、形鋼以外に木材で形成してあってもよい。第１・第２の両係合体１８・１９を固定する締結具２４・３２は、セルフドリリングビスやリベットである必要はなく、タッピンビスや、ブラインドリベット、あるいはボルトやビスなどでもよい。ベース壁２０、脚壁２１、係合ベース２７、爪腕３０、爪部３１などには、必要に応じて強度補強用のリブを形成することができる。
【００２９】
上記の実施例では、横張型の外壁について説明したが、本発明は縦張型の外壁にも同様に適用できる。抜止段部２２は折り曲げ形成する以外に、脚壁２１の一部を切り起こして形成してもよい。抜止段部２２および爪部３１はそれぞれ複数段に形成することができる。第２係合体１９は、１個の部品として構成することが好ましいが、必要に応じて係合ベース２７を左右に分断した２個の部品として構成することができる。第２係合体１９を２個の部品で構成する場合には、係合ベース２７を内外に重ねて、左右方向へ相対スライド自在に連結しておくことにより、胴縁１の幅寸法の変化に対応して、係合ベース２７の左右幅寸法を変更調整することができる。同様に、第１係合体１８も左右に分割した２個の部品で構成することができる。
【図面の簡単な説明】
【００３０】
【図１】図２におけるＡ−Ａ線断面図である。
【図２】補修個所の縦断側面図である。
【図３】補修構造の分解斜視図である。
【図４】圧嵌係合構造の分解平面図である。
【図５】新規な壁パネルの組み付け要領を示す断面図である。
【図６】第２係合体の別実施例を示す横断平面図である。
【符号の説明】
【００３１】
１  壁下地
２  壁パネル
２Ａ  新規壁パネル
７・８  連結部
１０  取付壁
１８  第１係合体
１９  第２係合体
２０  ベース壁
２１  脚壁
２２  抜止段部
２３  傾斜案内面
２４  締結具
２８  締結座
２９  係合爪
３０  爪腕
３１  爪部
３２  締結具
【図１】
2006037537.tif 000003
【図２】
2006037537.tif 000004
【図３】
2006037537.tif 000005
【図４】
2006037537.tif 000006
【図５】
2006037537.tif 000007
【図６】
2006037537.tif 000008
【手続補正書】
【提出日】平成16年7月28日(2004.7.28)
【手続補正１】
【補正対象書類名】特許請求の範囲
【補正対象項目名】全文
【補正方法】変更
【補正の内容】
【特許請求の範囲】
【請求項１】
一群の壁パネル２の隣接端どうしを凹凸係合して構成される外壁における壁パネルの補修構造であって、
壁パネル２は、その長手方向の対向辺部に沿って、凹凸係合が可能な関係にある一対の連結部７・８を有し、両連結部７・８の一方に壁下地１に締結固体される取付壁１０を備えており、
補修個所に嵌め込まれる新規壁パネル２Ａの取付壁１０が、圧嵌係合構造を介して壁下地１に分離不能に固定することができ、
圧嵌係合構造が、柱状の壁下地１に屋外側から装着固定される第１係合体１８と、第１係合体１８に対向する取付壁１０の内面に固定される第２係合体１９とを含み、
く字状に仮接合した新規壁パネル２Ａと既設の壁パネル２とを面一状に押し込み操作することにより、新規壁パネル２Ａを補修個所に嵌め込む際に、第１係合体１８と第２係合体１９とを同時に圧嵌係合して、新規壁パネル２Ａが壁下地１に分離不能に固定されるようにしたことを特徴とする壁パネルの補修構造。
【請求項２】
壁下地１に固定した第１係合体１８の左右の脚壁２１に、それぞれ一対の抜止段部２２が突設されており、
第２係合体１９の左右に、取付壁１０に締結具３２で締結固定される締結座２８と、抜止段部２２に圧嵌係合する左右一対の係合爪２９とが形成されており、締結座２８が係合爪２９よりも左右外側方に張り出し形成されている請求項１記載の壁パネルの補修構造。
【請求項３】
第１係合体１８が、壁下地１の外面で受け止められるベース壁２０と、ベース壁２０に連続して壁下地１の両側面に沿う左右一対の脚壁２１と、両脚壁２１の中途部に突設される一対の抜止段部２２と、ベース壁２０と抜止段部２２の突端との間に形成されて、係合爪２９を係合案内する傾斜案内面２３とを備えており、
第２係合体１９の各係合爪２９が、爪腕３０と、爪腕３０の先端に設けた爪部３１とで構成されている請求項２記載の壁パネルの補修構造。
【請求項４】
第１係合体１８の脚壁２１の一方に、壁下地１に掛け止め装着される掛止爪３５が形成されており、
第１係合体１８の脚壁２１の他方が、壁下地１に締結具２４を介して締結固定されている請求項２または３記載の壁パネルの補修構造。